(57)【要約】  本発明の要旨は、同期レートを転送かつ維持する方法を実装することであり、前記方法は、上記タイプの１つのネットワークのトポロジーから独立し、かつあらゆる外部基準同期信号または同期レートの精度の維持を提供する。初期非同期レートタイミング信号を同調させるネットワークリンク上の同期レートを転送するための方法は、前記ネットワーク上で伝播する同期レートタイミング信号を生成するために、外部基準同期レートでこのレートタイミング信号をこのネットワーク上の入力ポイントで同期させる手段と、前記外部基準同期レートを使用するために、前記同期レートタイミング信号から外部基準同期レートをこのネットワークの出力ポイントで抽出する手段とを少なくとも有する。
2008546336.tif 000002
【特許請求の範囲】
【請求項１】
初期非同期レートタイミング信号に同調するネットワークリンク上の同期レートを転送するための方法において、
前記ネットワーク上で伝播する同期レートタイミング信号を生成するために、外部基準同期レートでの前記レートタイミング信号をネットワーク上の入力ポイントで同期させる段階と、
前記外部基準同期レートを使用するために、前記同期レートタイミング信号から前記外部基準同期レートをネットワーク上の出力ポイントで抽出する段階と、を有することを特徴とする方法。
【請求項２】
前記同期レートタイミング信号を介して、同期モード内の前記同期レートを転送する段階からなることを特徴とする請求項１に記載の方法。
【請求項３】
100 Mbit/s,1 Gbit/s，10 Gbit/s のイーサネット（登録商標）・ネットワークリンクにおいて、10‐11ＵＴＣの精度を有する主基準クロックにより転送される外部基準レートである125 MHz, 1.25 GHz, 10.3215 GHzの周波数グループに属する周波数で前記ラインレートタイミング信号を同期化する段階からなることを特徴とする請求項１または請求項２に記載の方法。
【請求項４】
前記ネットワーク上の出力ポイントでの前記同期レートの外部抽出の後に、前記ネットワーク上の前記出力ポイント近傍のポイントにて前記抽出された外部同期レートで同期された前記レートタイミング信号を再入力し、それによって前記ネットワークトポロジから独立した前記同期レートの転送及び維持する段階を有することを特徴とする請求項１から３のうちのいずれか１項に記載の方法。
【請求項５】
あるレートタイミング信号に同調するネットワークリンク上の同期レートを転送するとともに、前記ネットワーク上の入力ポイントで接続されたシステムにおいて、
少なくとも、
前記ネットワーク上で伝播する同期レートタイミング信号を生成するために、外部基準同期レートで前記レートタイミング信号に同期させるとともに、前記ネットワーク上の出力ポイントで接続された手段と、
外部基準同期レートを使用するために、前記同期レートタイミング信号から前記外部基準同期レートを抽出するための手段と、を有することを特徴とするシステム。
【請求項６】
前記同期させる手段は、少なくとも、
１つのクロック信号が、前記外部基準同期レートを形成し、
周波数コンバータ手段が、前記クロック信号を受信するとともに、高周波数または同期された同期信号を転送することを特徴とする請求項５に記載のシステム。
【請求項７】
前記同期させる手段は、また、
前記同期された高周波数同期信号を受信するとともに、前記信号を使用するために前記同期レートタイミングを転送する位相固定手段を具備することを特徴とする請求項６に記載のシステム。
【請求項８】
前記同期させる手段は、並直列変換回路―非並直列変換回路を介して前記ネットワーク上の入力ポイントに接続されることを特徴とする請求項５から７のうちいずれか１項に記載のシステム。
【請求項９】
前記外部基準レートを抽出するための前記手段は、少なくとも、前記同期レートタイミング信号を受信するとともに、前記外部基準レートとの位相関係を有する再生された外部基準レートを転送する周波数コンバータ手段を有することを備えることを特徴とする請求項５から８のうちいずれか１項に記載のシステム。
【請求項１０】
前記基準レートを抽出するための前記手段は、並直列変換回路―非並直列変換回路を介して前記ネットワーク上の出力ポイントに接続されることを特徴とする請求項５から９のうちいずれか１項に記載のシステム。
【請求項１１】
クロック信号によって形成された外部基準同期レートのネットワークリンクのあるレートタイミング信号を同期させるためのモジュールにおいて、
前記モジュールは、少なくとも、
前記クロック信号を受信し、かつ、前記クロック信号上で同期された高周波数同期信号を転送する周波数コンバータ手段を具備することを特徴とするモジュール。
【請求項１２】
クロック信号により表されたこの基準レートで同期されたあるレートタイミング信号から外部基準レートを抽出するためのモジュールにおいて、
前記モジュールは、前記同期レートタイミング信号を受信し、前記外部基準レートとの位相関係を有する再生された外部基準レートを転送する少なくとも１つの周波数コンバータを備えることを特徴とするモジュール。
【発明の詳細な説明】
【技術分野】
【０００１】
ネットワーク転送を行うとき、同期レートは、これらのネットワークを形成する特定の装置に提供されなければならない。これは、特に、ノード  Ｂに参照されるような、UMTS（ユニバーサル  モバイル  テレコミュニケーション  システム）送／受信基地局にとっての問題であり、かつ、より一般的には、リアルタイムアプリケーションまたはサービスを提供する全ての装置にとっての問題である。
【０００２】
現在のところ、この同期レートは、ＵＴＣ（協定世界時）周波数に関して、１０−１１の精度を示す主基準クロックから発信している同期信号によって、送信されている。この同期信号は、ネットワークのさまざまな部分、特に核心部、収集部分またはアクセス部分に、ＳＤＨ（同期デジタルハイアラーキ）トランスポート層を介して、または、ＰＤＨ（従来の同期デジタルハイアラーキ）トランスポート層を介して、送信されることがある。
【０００３】
ネットワークまたはネットワークの一部を実装するためのイーサネット（登録商標）技術の徐々にではあるが定期的な導入は、今や、このようなネットワークまたはネットワークの一部におけるこの同期レートを転送または維持するという問題を引き起こしつつある。
【０００４】
上述の問題は、このタイプのネットワークの展開、特にＵＭＴＳ収集ネットワークに向けたアプリケーション内のブレーキとなる可能性がある。
【０００５】
これまで、前記同期レートを転送かつ維持するために提案された解決策には、本質的に二つのタイプを有していた。すなわち、
−適応といわれる方法であり、データパケットの到着レートからＦＩＦＯメモリの受信に至るまでのネットワーク入力における転送レートを取り出す手段を有し、前記読み出しレート周波数は、このメモリ容量のレベルに依存する方法。
−タイムスタンプといわれる方法であり、受信機側で転送クロックレートを再構成できるようにするために、帯域内、すなわちフレーム内で、３または４バイト構造にて、転送クロックに関する情報を転送する手段を有する方法。
【０００６】
上記２つのケースにおいて、または、これらの組み合わせに関する場合でさえ、再構成または再格納された同期信号または同期レートは、ネットワークトポロジに非常に依存し、このネットワーク上のトラフィック負荷の多様性と同様に特に交わるノードの数に依存している。上記依存は、概して、前者がネットワークの端から端まで通過する場合、パケット転送時間における多様性において、遅延と称する現象を引き起こし、それによって、位相の多様性やシフトが生成され、前記再構成されたレートで通過する。
【０００７】
結果として、再構成されたレートは、同期化に関しては非常に低品質であるとともに、規格外であるか、現在の適用規格または勧告の限度であるということが判明するだろう。
【発明の開示】
【発明が解決しようとする課題】
【０００８】
本願発明の目的は、あるレートタイミング信号を同調させる、高速イーサネット（登録商標）やギガビット・イーサネット（登録商標）や、高速ネットワークなどのようなネットワークの問題における先行技術の解決策の欠点を克服することである。
【０００９】
特に、本発明の要旨は、同期レートを転送かつ維持する方法を実行することであり、前記方法は、上記タイプの１つのネットワークのトポロジーから独立し、かつあらゆる外部基準同期信号または同期レートの精度の維持を提供する。
【００１０】
さらに、本発明のもう一つの要旨は、上述したネットワークのタイプの１つに関するネットワーク同期レートを転送かつ維持するシステムの実行であり、前記システムは、あらゆる同期信号または外部基準レートの精度の維持を提供する。
【００１１】
本発明の要旨である、初期非同期レートタイミング信号を同調させるネットワークリンク上の同期レートを転送するための方法は、前記ネットワーク上で伝播する同期レートタイミング信号を生成するために、外部基準同期レートでこのレートタイミング信号をこのネットワーク上の入力ポイントで同期させる手段と、前記外部基準同期レートを使用するために、前記同期レートタイミング信号から外部基準同期レートをこのネットワークの出力ポイントで抽出する手段とを少なくとも有することに着目されるべきである。
【００１２】
本発明の要旨である、ネットワークリンク上の同期レートを転送し、あるレートタイミング信号を同調させるためのシステムは、少なくとも、このネットワーク上の入力ポイントで接続され、このネットワーク上に伝播する前記同期レート信号を生成するために、外部基準同期レートでこのレートタイミング信号を同期化させるモジュールを有することに着目されるべきである。また、前記システムは、このネットワーク上の出力ポイントで接続され、前記モジュールを使用するために、前記同期レートタイミング信号から外部基準同期レートを抽出するモジュールを有する。
【００１３】
本発明は、また、外部基準同期レートでネットワークリンクのクロック信号により形成されたレートタイミング信号を同期させるためのモジュールをカバーし、このクロック信号を受信し、かつこのクロック信号上で同期された高周波数同期信号を転送する少なくとも１つの周波数コンバータモジュールを有すると述べることができる。
【００１４】
最後に、本発明は、この外部基準同期レート上で同期されたクロック信号により示されたレートタイミング信号から外部基準同期レートを抽出するモジュールをカバーし、このモジュールは、この同期レートタイミング信号を受信し、外部基準レート信号との位相関係を有する再構成された外部基準同期レートを転送する少なくとも一つの周波数コンバータを有すると述べることができる。
【００１５】
本発明の要旨である、あるタイミングレートを同期させかつ外部基準同期レートを抽出するための、前記方法、システム、及びモジュールは、ギガビット・イーサネット（登録商標）・ネットワークまたは他のネットワークのようなあるレートタイミング信号を同調させるネットワークの実装に適用されることが可能であり、応答するネットワークリンクの両端に存在する終端装置内であるか、または上述のような専用かつ独立した同期モジュールおよび抽出モジュールの形状の中に、各々設置される。
【００１６】
これらは、添付図面を参照しながら本願明細書を読めばよく理解できる。
【発明を実施するための最良の形態】
【００１７】
本発明の目的に従って、初期の非同期レートタイミング信号を同調させるネットワークリンク上の同期レートを転送するための方法のより詳細な記載は、図１ａ及び１ｂを参照することにより直ちに得られる。
【００１８】
上記に記載された図１ａを参照すると、同期レートを転送する方法は、あるレートタイミング信号ＤＲを同調させるあらゆるネットワークリンク上、及び特にあらゆる高速イーサネット（登録商標）又はギガビット・イーサネット（登録商標）・リンク上、すなわちこれらレートタイミング信号を有するあらゆるネットワークリンクと同様である高速リンク上で実装されることがわかる。
【００１９】
図１ａを参照すると、本発明の要旨である方法は、Ｉと表示されたネットワーク上の入力ポイントで、ＥＳＲと表示された外部基準同期レート上の前記レートタイミング信号ＤＲを同期する段階を有する、ということがわかる。この動作は、上述のネットワーク上に伝播する同期レート信号ＳＤＲを生成するために、図１ａのステップＡにて実行され、「同期化（ＳＹＮＣＨＲＯＮＩＺＡＴＩＯＮ）  ＤＲ（ＥＳＲ）」と表示される。
【００２０】
本発明の要旨である方法は、次いで、ステップＢにて、上述のネットワークの出力ポインントＯで前記同期レートタイミング信号ＳＤＲから外部基準同期レートＥＳＲを抽出する段階を有する。前記外部基準同期レートＥＳＲは、こうして、再格納され、あらゆる目的で使用されることになるが、これらは、後述される。
【００２１】
本発明の要旨である方法の特筆すべき一構成によると、前記方法は、問題となる同期モードで前記同期レートタイミング信号ＳＤＲを介してネットワーク上の同期レートを転送する段階を有する。
【００２２】
こうして、前記ネットワーク上の同期モードで転送される同期レートは、本明細書の前半部に記載された先行技術による方法とは異なった純粋な物理的な方法において転送される。
【００２３】
本発明の要旨である方法の処理は、ネットワークリンク上の範囲では可能とされ、例えば、ギガビット・イーサネット（登録商標）・ネットワークのような、あるレートタイミング信号を同調させ、このネットワーク上に転送されるデータフレームがないときでさえ、前記ライン上に常に信号が存在し、この信号は、本願の説明上、レートタイミング信号と呼ばれる特殊な符号語を送信する段階からなる。上述されたネットワークリンクに対するこれらの考えでは、以下のように理解される。つまり、本発明の要旨である方法は、ネットワークが、外部基準レートのギガビット・イーサネット（登録商標）・ネットワークであるとき、前記ラインレートタイミング信号を１．２５ＧＨｚに同期する段階からなる。この場合は、１０−１１／ＵＴＣの精度を有する主基準クロックにより転送される。
【００２４】
ステップＡにて記載された同期動作の次に、本発明の要旨である方法は、次いでステップＢにて外部同期レートＥＳＲを表すクロック信号を物理的に伝播する段階を有する。
【００２５】
図１ａにて表された本発明の要旨である方法は、この方法が上述されたネットワークリンク上の上述の同期レートを転送する手段だけでなく、さらに問題であるネットワークのトポロジーとは無関係にこの同期レートを維持する手段も提供する限りにおいて、特に好ましく、図１ｂに関しては下記に記載される。
【００２６】
上記の図を参照すると、入力ポイントＩ１で実行されたステップＡでの同期動作の後に、及び出力ポイントＯ１で実行される抽出操作Ｂの後に、図１ｂのステップＡとＢは、図１ａのステップＡとＢと同一の過程であり、ネットワーク上の出力ポイントＯ１近傍のポイントで、図１ｂのＩｉと表示された入力ポイントの近傍で抽出された外部基準同期レートで同期された前記レートタイミング信号ＳＤＲを再入力する。
【００２７】
抽出ポイントと再入力ポイントの間にある「近傍」の概念は、例えば、同じターミナル装置のアイテム上の個々の信号に対して個々に抽出ポートと入力ポートの存在の概念をカバーする。
【００２８】
本発明の要旨である方法は、次いで、ネットワーク上の他のあらゆるポイントで抽出動作を実行する段階と、連続する入力ポイント及び出力ポイントＩｉ、Ｏｉで同期動作を繰り返す段階とからなり、これらのポイントは、このような前記同期レートを転送及び維持するために選ばれ、その結果、ネットワークトポロジからの独立して構成する。
【００２９】
前記レートタイミング信号ＳＤＲを再入力する操作は、上述の信号ＳＤＲからか、もし必要であれば、ある同期レートタイミング信号ＳＤＲを再生成するために次いで使用される抽出された外部基準同期レート信号ＥＳＲからのどちらかから実行されることが理解されるのは自明であり、これらは後の記述にて記載される。
【００３０】
前記プロセスは、終端装置のアイテムが同期したと考慮して、抽出に対して入力ポイントＩｎ及び出力ポイントＯｎを連続的に繰り返す。
【００３１】
本発明の目的に従って、ネットワークリンク上で同期レートを転送し、あるレートタイミング信号を同調させるシステムは、図２ａを参照して直ちに記述される。
【００３２】
図２ａを参照すると、本発明の要旨であるシステムは、問題となるギガビット・イーサネット（登録商標）・ネットワークのネットワークリンク上で同期レートタイミングを転送するために選ばれたリンクの各両端に存在するギガビット・イーサネット（登録商標）終端装置内に直接設置されることがわかる。
【００３３】
こうして、図２ａを参照すると、本発明の要旨であるシステムは、外部基準同期レートＥＳＲのレートタイミング信号を同期する同期モジュールＳＭを有することがわかる。前記モジュールＳＭは、ネットワーク上で伝播する同期レートタイミング信号ＳＤＲを生成するために使用されることがわかる。
【００３４】
図２ａでは、ＵＬとして表示され、かつ８ビットデータを並列に転送するネットワークリンク上層部と、１０ビット並列データを転送するための８ビット／１０ビット・エンコーダと、シリアル１０ビット符号語をアダプタへ転送する送信ポートＳｅｒＤｅｓとして表示された並直列変換回路―非並直列変換回路とを表示した終端装置Ａが示されている。前記アダプタは、送信ポートを形成し、特に、銅ライン、光ライン、または他の物理メディア上でギガビット・イーサネット（登録商標）・ネットワークリンクによるリンクを形成する。上述の送信ポートは、ついでネットワークリンクを介して終端装置Ｂへとリンクされ、他の終端装置のアイテムを形成する。
【００３５】
前記終端装置Ｂは、また後者ＵＬの上層部と、８ビット／１０ビット  エンコーダと、並直列変換回路―非並直列変換回路ＳｅｒＤｅｓとにより表示され、同様にアダプタにより受信ポートを形成し、前記アダプタは、ギガビット・イーサネット（登録商標）・ネットワークリンクに接続され、終端装置Ａと終端装置Ｂをリンクするように実際に構成されている。
【００３６】
図２ａを参照すると、本発明の要旨であるシステムは、また、問題となるネットワーク上の出力ポイントで接続され、前記同期レートタイミング信号ＳＤＲから外部基準同期レートを抽出する抽出モジュールＥＭを有する。
【００３７】
図２ａでは、抽出モジュールＥＭは、終端装置Ｂを表示する並直列変換回路―非並直列変換回路ＳｅｒＤｅｓで接続される。抽出された外部基準同期レートＥＳＲは、ついで、同期化する目的のために使用される。この外部基準同期レートＥＳＲは、初期外部基準同期レートＥＳＲとの位相関係を示しかつあらゆる精度及び品質の周波数を維持する。
【００３８】
特に、装置Ａの並直列変換回路―非並直列変換回路ＳｅｒＤｅｓへの同期モジュールＳＭによる前記レート信号（係数ｋにより除算される信号ＳＤＲのレートに応じて）の供給は、実際、前記同期レートタイミング信号ＳＤＲを、生成させ、かつ前記アダプタ回路及びリンクライン（高速またはギガビット・イーサネット（登録商標）、または高速ライン）上に転送するための送信ポートへ転送することを可能にする。次いで、前記同期レートタイミング信号ＳＤＲは、アダプタ、終端装置Ｂの受信装置、特に後者の並直列変換回路―非並直列変換回路ＳｅｒＤｅｓ、最終的には外部基準同期レートＥＳＲを抽出する抽出モジュールＥＭへと、転送される。
【００３９】
図２ａでさらに記載されるように、同期モジュールＳＭは、好ましくは、外部基準同期レートＥＳＲを形成するクロック信号を有している。このクロック信号は、好ましくは、本発明の要旨である前記システムの実際の特有の実施に対し、基準クロックが±１０−１１／ＵＴＣの精度を有する２．０４８ＭＨｚでの基準信号を転送することにより転送されることを可能とする。
【００４０】
同期モジュールＳＭは、また、周波数コンバータ回路ＦＵＣを有し、この周波数コンバータ回路は、クロック信号ＥＳＲの周波数を増加させることにより変化させ、それゆえＦＵＣと表記される。前記周波数コンバータ回路は、したがって、比較的高く、かつ外部基準同期レートＥＳＲ上で同期された周波数で同期信号を転送する周波数マルチプライア回路である。
【００４１】
コンバータ回路ＦＵＣにより転送された同期された高周波数の同期信号は、必要な場合、例えば、同期レートタイミングを形成する信号ＳＤＲを形成するには十分な周波数を上昇させる可能性がある。
【００４２】
しかし、本発明の要旨であるシステムの好ましい一実施形態は、特に、モジュールＳＭを同期し、後者は、また、位相固定回路を有し、Ｑと表示され、同期された高周波数同期信号を受信し、並直列変換回路―非並直列変換回路ＳｅｒＤｅｓへ同期レートタイミングを転送する。
【００４３】
位相固定回路Ｑは、好ましくは、終端装置Ａ内で利用可能な水晶発振器により形成され、通常は、高速／ギガビット・イーサネット（登録商標）・リンク全体のデータを転送するために、並直列変換回路―非並直列変換回路の制御信号を生成することを意図し、かつ対応するネットワークリンク上で転送されるタイミングレートを形成する一部の符号語を転送することもまた意図している、ということが理解される。
【００４４】
この考えでは、位相固定回路、即ち、詰まるところ上述の水晶振動子の位相固定効果は、一方で、上述されたタイミングレートを生成するするとともに、他方で、外部基準同期レートＥＳＲ、即ち、後者を表すクロック信号上で後者に同期する。
【００４５】
終端装置Ｂの外部基準レート抽出モジュールＥＭの実施例によると、前記同期モジュールＳＭと同様の方法で、好ましくは、ＦＤＳと表記された少なくとも一つの周波数コンバータモジュールを有している。この周波数コンバータモジュールは、終端装置Ｂの並直列変換回路―非並直列変換回路ＳｅｒＤｅｓと直接リンクされるとともに、その結果、例えば、周波数分割コンバーションによって、オリジナル外部基準レートＥＳＲと位相関係を有する再生された外部基準レートＥＳＲを転送するために、同期レートタイミング信号ＳＤＲを受信する。
【００４６】
当然ながら、図２ａの実施形態に限られない。コストの理由のため又は実施理由のために、ターミナル装置Ａ及び／又はターミナル装置Ｂを改良することが望ましくない場合、本発明の要旨であるシステムは、さらに、各前記終端装置アイテムＡ及びＢ外部の独立した専用モジュール内の同期モジュールＳＭ及び／又は抽出モジュールＥＭからなる、ということが特に理解される。この実施例は、図２ｂに図示され、前記終端装置Ａは、ギガビット・イーサネット（登録商標）・スイッチＡによって形成された、かつ前記終端装置Ｂは、ギガビット・イーサネット（登録商標）・スイッチＢにより形成されている。
【００４７】
この考えでは、各上記スイッチは、ギガビット・イーサネット（登録商標）・リンクＧｂＥにより上述のギガビット・イーサネット（登録商標）・リンクの同期モジュールＳＭを介して及び上述の図内で図示された抽出モジュールＥＭを介してリンクされる。図２ａの問題と同時に、上述のギガビット・イーサネット（登録商標）・リンクＧｂＥは、データおよび同期レートタイミング信号ＳＤＲが転送されることを可能とする。
【００４８】
図１ｂに図示された本発明の要旨である方法を実行する複数の連続したギガビット・イーサネット（登録商標）・リンクにより実際に形成された、ギガビット・イーサネット（登録商標）・ネットワークの構造は、図２ｃに図示される。
【００４９】
上述の図２ｃでは、外部基準同期レートＥＳＲは、第１に、基準クロックからギガビット・イーサネット（登録商標）・スイッチ、つまりＧｂＥスイッチで入力されるとともに、このスイッチでは、外部基準同期レートＥＳＲは、この同じスイッチで使用するために抽出され、次いでネットワーク上でギガビット・イーサネット（登録商標）リンク間または問題となる２つのＧｂＥスイッチ間のいずれの場合にも伝播される同期レートタイミング信号ＳＤＲを生成するために再入力される。このプロセスは、次いで、ＧｂＥスイッチ間で連続的に繰り返され、連続したギガビット・イーサネット（登録商標）・ネットワークリンクの範囲を規定する。本記載の初期に記述されたものであるこの考えの中で、抽出後の外部基準同期レートは、ＧｂＥスイッチでまたは後者近傍ポイントでかのどちらかで再入力され、あるいは、もし必要であれば、前記同期レートタイミング信号ＳＤＲは、本記載に予め記載されたネットワーク上で生成されかつ送信される、ことが理解される。
【００５０】
特に、図２ｃに図示された構成は、同期リンクとして参照されたギガビット・イーサネット（登録商標）・ネットワークリンクへ実行され、他のリンクでは、同期は不要であり、当然非同期を維持することが出来る、ことが理解される。
【００５１】
特定の実施形態における、当発明の要旨である前記方法及び前記システムの特殊な適用例のより詳細な記述は、図３a及び図３ｂを参照することによってこれから与えられる。
【００５２】
図３aを参照すると、本発明の要旨である前記方法及び前記システムは、ラストマイル（ｌａｓｔ  ｍｉｌｅ）としても参照される、ＵＭＴＳベースステーションの最後の部分の同期レートを転送する問題を解決するために、外部基準レートを転送及び維持する段階が実行されることが出来る。
【００５３】
この考えでは、図３ａに図示されているように、従来では、ＧｂＥスイッチは、ＧｂＥネットワークリンクによりＮＴＵ（ネットワークターミナルユニット）として示された終端装置のアイテムとリンクされ、前記ＮＴＵは、ＰＡＢＸ電話スイッチ及びＵＭＴＳノードＢとして示されたＵＭＴＳ基地局とリンクされる。
【００５４】
前記ＧｂＥスイッチは、あるネットワーク又はＧｂＥネットワークリンクを介する同期レートタイミング信号ＳＤＲか、外部同期レート信号ＥＳＲかの何れかを受信する。それは、同期レートタイミング信号ＳＤＲをギガビット・イーサネット（登録商標）・リンク全体に終端装置モジュールＮＴＵまで転送する。前記同期レートタイミング信号ＳＤＲは、Ｅ１／ＳＴＭｘ−ＣＥｓを介してＰＡＢＸスイッチまたはＵＭＴＳベースステーションへ直接転送される。さらに、外部信号同期レートＥＳＲは、また、ＵＭＴＳベースステーションへ直接転送される。
【００５５】
前記同期レートタイミング信号ＳＤＲは、ＰＡＢＸスイッチ、各ＵＭＴＳベースステーションへ前記ＮＴＵモジュールがＴＤＭＥ１、Ｅ３、ＳＴＭｘチャネルにエミュレートされやすくすることによって、転送される。これは、ＴＤＭフレームが上述のレートから再生されるので、転送された同期レートは、高品質かつ現在に適用できる標準規格であることを保証する。
【００５６】
前記転送同期レートは、また、例えば、周波数リンクにより、地域顧客の装置アイテムの直接同期を提供するように外部基準信号ＥＳＲを介して直接転送される。
【００５７】
図３ｂでは、前記構成は、前記ターミナル装置ＮＴＵの視点から図３ａと同様である。しかし、前記終端装置は、このとき、ＭＳＰＰ（マルチサービス提供プラットフォーム）またはＧｂＥインターフェースを備えたＳＤＨ装置アイテムである。
【００５８】
この適用例では、現在同期ネットワークから生成する同期レートは、次いで、従来ではＴ３入力を介して入力され、かつ後者へ転送される。それゆえ、リング状に形成された各前記ＳＤＨまたはＭＳＰＰ環装置のタイムベースで利用することができる。
【００５９】
本発明の要旨である前記方法と前記システムを実装する長所により、このシナリオでは、前述の同期レートは、各ＧｂＥインターフェース上、本明細書の冒頭に記述されたように転送するために、簡単に取り出すことが出来る。
【図面の簡単な説明】
【００６０】
【図１ａ】図１ａは、単なる実例として、本発明の要旨である方法を実行するための本質的なステップのフローチャートを表す。
【図１ｂ】図１ｂは、実例として、本発明の要旨である方法を実行するための本質的なステップのフローチャートを表し、トポロジーからレートタイミング信号を適合させるネットワークの独立を提供する１つの好ましい変形例である。
【図２ａ】図２ａは、実例として、本発明の要旨である同期レートを転送するシステムを機能図で表し、同期モジュールおよび抽出モジュールは、各ターミナル装置にて結合された第１実施形態に関し、前記ターミナル装置は、それ自体タイミング信号同期レートを適合させるネットワークにリンクされており、外部基準同期レートを検出することを可能にする。
【図２ｂ】図２ｂは、実例として、本発明の要旨である同期レートを転送するシステムを表し、本発明の第２実施形態に関し、同期モジュールおよび検出するモジュールは、各ターミナル装置自体と分離する専用モジュールの形式にて接続され同期レートタイミング信号に適合するネットワークによりリンクされ、外部基準同期信号を検出することを可能にする。
【図２ｃ】図２ｃは、実例として、本発明の要旨である方法を実現する本発明の要旨であるシステムの実施形態を表し、図１ｂに図示されたものであり、同期レートタイミング信号に適合するネットワークのトポロジーから完全に独立した様式にて実装されたものである。
【図３ａ】図３ａは、実例として、本発明の手段である方法及び／又はシステムの第１実施形態の適用例を表し、ＵＭＴＳベースステーションに接続された終端装置のアイテムとギガビット・イーサネット（登録商標）・ネットワーク  スイッチの間にある。
【図３ｂ】図３ｂは、実例として、本発明の手段である方法及び／又はシステムの第２実施形態の適用例を表し、ＵＭＴＳベースステーションに接続された終端装置のアイテムとマルチサービス・プラットフォーム又はＳＤＨ装置のアイテムの間にある。
【符号の説明】
【００６１】
ＳＭ  同期モジュール
ＥＭ  抽出モジュール
【図１ａ】
2008546336.tif 000003
【図１ｂ】
2008546336.tif 000004
【図２ａ】
2008546336.tif 000005
【図２ｂ】
2008546336.tif 000006
【図２ｃ】
2008546336.tif 000007
【図３ａ】
2008546336.tif 000008
【図３ｂ】
2008546336.tif 000009
【手続補正書】
【提出日】平成20年2月14日(2008.2.14)
【手続補正１】
【補正対象書類名】特許請求の範囲
【補正対象項目名】全文
【補正方法】変更
【補正の内容】
【特許請求の範囲】
【請求項１】
初期非同期レートタイミング信号に同調するネットワークリンク上の同期レートを転送するための方法において、前記方法は、
前記ネットワーク上で伝播する同期レートタイミング信号を生成するために、外部基準同期レートでの前記レートタイミング信号をネットワーク上の入力ポイントで同期させる段階と、
前記外部基準同期レートを使用するために、前記同期レートタイミング信号から前記外部基準同期レートをネットワーク上の出力ポイントで抽出する段階と、を有することを特徴とする方法。
【請求項２】
前記方法は、
前記同期レートタイミング信号を介して、同期モード内の前記同期レートを転送する段階からなることを特徴とする請求項１に記載の方法。
【請求項３】
100 Mbit/s,1 Gbit/s，10 Gbit/s のイーサネット（登録商標）・ネットワークリンクにおいて、前記方法は、
10‐11ＵＴＣの精度を有する主基準クロックにより転送される外部基準レートである125 MHz, 1.25 GHz, 10.3215 GHzの周波数グループに属する周波数で前記ラインレートのタイミング信号を同期化する段階からなる請求項１に記載の方法。
【請求項４】
前記ネットワーク上の出力ポイントでの前記同期レートの外部抽出の後に、前記方法は、前記ネットワーク上の前記出力ポイント近傍のポイントにて前記抽出された外部同期レートで同期された前記レートタイミング信号を再入力し、それによって前記ネットワークトポロジから独立した前記同期レートの転送及び維持する段階を有する請求項１に記載の方法。
【請求項５】
あるレートタイミング信号に同調するネットワークリンク上の同期レートを転送するとともに、前記ネットワーク上の入力ポイントで接続されたシステムにおいて、
前記システムは、少なくとも、
前記ネットワーク上で伝播する同期レートタイミング信号を生成するために、外部基準同期レートで前記レートタイミング信号に同期させるとともに、前記ネットワーク上の出力ポイントで接続された手段と、
外部基準同期レートを使用するために、前記同期レートタイミング信号から前記外部基準同期レートを抽出するための手段と、を有するシステム。
【請求項６】
前記同期させる手段は、少なくとも、
１つのクロック信号が、前記外部基準同期レートを形成し、
周波数コンバータ手段が、前記クロック信号を受信するとともに、高周波数または同期された同期信号を転送する請求項５に記載のシステム。
【請求項７】
前記同期させる手段は、また、
前記同期された高周波数同期信号を受信するとともに、前記信号を使用するために前記同期レートタイミングを転送する位相固定手段を具備する請求項６に記載のシステム。
【請求項８】
前記同期させる手段は、並直列変換回路―非並直列変換回路を介して前記ネットワーク上の入力ポイントに接続される請求項５に記載のシステム。
【請求項９】
前記外部基準レートを抽出するための前記手段は、少なくとも、前記同期レートタイミング信号を受信するとともに、前記外部基準レートとの位相関係を有する再生された外部基準レートを転送する周波数コンバータ手段を有することを備える請求項５に記載のシステム。
【請求項１０】
前記基準レートを抽出するための前記手段は、並直列変換回路―非並直列変換回路を介して前記ネットワーク上の出力ポイントに接続される請求項５に記載のシステム。
【請求項１１】
前記ネットワーク上の出力ポイントで前記同期レートタイミング信号に同調する第１ネットワークリンクとリンクされるとともに、前記ネットワークの出力ポイント近傍にある入力ポイントで第２ネットワークリンクとリンクされるスイッチであり、前記スイッチは、
前記ネットワークの出力ポイントで接続され、外部同期レートを使用するために、第１ネットワークリンクから受信された同期レートタイミング信号から前記外部同期レートを抽出する手段と、
入力ポイント近傍に接続され、前記抽出された外部同期レートで同期された前記レートタイミング信号を第２ネットワークリンクへ再入力する手段と、を備えるスイッチ。
【請求項１２】
入力ポイントでタイミング信号に同調するネットワークリンクにリンクされる終端装置項目であり、前記終端装置は、
入力ポイントで接続され、前記ネットワークリンク上に伝播する同期レートタイミング信号を生成するために、外部基準同期レートで前記レートタイミング信号に同期する手段を具備する終端装置。
【請求項１３】
同期タイミング信号に同調するネットワークリンクに出力ポイントでリンクされる終端装置項目であり、前記終端装置は、
出力ポイントで接続され、外部同期レートを使用するために、前記ネットワークリンクから受信された同期レートタイミング信号から前記外部同期レートを抽出する手段を備える終端装置。
【請求項１４】
クロック信号によって形成された外部基準同期レートのネットワークリンクのあるレートタイミング信号を同期させるためのモジュールにおいて、
前記モジュールは、少なくとも、
前記クロック信号を受信し、かつ、前記クロック信号上で同期された高周波数同期信号を転送する周波数コンバータ手段を具備するモジュール。
【請求項１５】
クロック信号により表されたこの基準レートで同期されたあるレートタイミング信号から外部基準レートを抽出するためのモジュールにおいて、
前記モジュールは、前記同期レートタイミング信号を受信し、前記外部基準レートとの位相関係を有する再生された外部基準レートを転送する少なくとも１つの周波数コンバータを備えるモジュール。
【国際調査報告】
2008546336.tif 000010
2008546336.tif 000011
2008546336.tif 000012
2008546336.tif 000013